【手続補正書】
【提出日】平成22年8月9日(2010.8.9)
【手続補正１】
【補正対象書類名】特許請求の範囲
【補正対象項目名】全文
【補正方法】変更
【補正の内容】
【特許請求の範囲】
【請求項１】
画像の記録指示に応じて撮像手段で撮像された画像を記録媒体に記録する撮像装置において、
半押しで撮影準備を指示し、全押しで画像の記録を指示する二段ストローク式のシャッタボタンと、
ズーム手段と、
前記ズーム手段によるテレ方向又はワイド方向へのズームを指示するズーム指示手段と、
人物撮影モードに設定するモード設定手段と、
前記人物撮影モード時に前記撮像手段に撮像される人物の顔の大きさを検出する検出手段と、
前記ズーム指示手段からの指示に応じて前記ズーム手段を制御するとともに、前記人物撮影モード時には、前記シャッタボタンの最初の半押しに応じて、前記撮像手段に撮像される人物の顔の大きさが一定の大きさとなるように、前記検出手段の検出結果に基づいて、前記ズーム手段を制御する制御手段と、
を備えたことを特徴とする撮像装置。
【請求項２】
前記撮像手段で撮像する人物の顔の大きさを設定する設定手段を備え、前記人物撮影モード時、前記制御手段は、前記シャッタボタンの最初の半押しに応じて、前記撮像手段に撮像される人物の顔の大きさが前記設定手段で設定された大きさとなるように、前記検出手段の検出結果に基づいて、前記ズーム手段を制御することを特徴とする請求項１に記載の撮像装置。
【請求項３】
前記人物撮影モード時に前記撮像手段で撮像された人物の顔の大きさを検出する第２の検出手段と、
前記第２の検出手段の検出結果に基づいて撮影頻度の高い人物の顔の大きさを推定する推定手段と、
を備え、前記人物撮影モード時、前記制御手段は、前記シャッタボタンの最初の半押しに応じて、前記撮像手段に撮像される人物の顔の大きさが前記推定手段で推定された大きさとなるように、前記検出手段の検出結果に基づいて、前記ズーム手段を制御することを特徴とする請求項１に記載の撮像装置。
【請求項４】
画像の記録指示に応じて撮像手段で撮像された画像を記録媒体に記録する撮像装置において、
半押しで撮影準備を指示し、全押しで画像の記録を指示する二段ストローク式のシャッタボタンと、
ズーム手段と、
前記ズーム手段によるテレ方向又はワイド方向へのズームを指示するズーム指示手段と、
集合撮影モードに設定するモード設定手段と、
前記集合撮影モード時に前記撮像手段に撮像される各人物の顔の位置、大きさを検出する検出手段と、
前記ズーム指示手段からの指示に応じて前記ズーム手段を制御するとともに、前記集合撮影モード時には、前記シャッタボタンの最初の半押しに応じて、前記撮像手段で撮像される各人物の顔が画面一杯になるように、前記検出手段の検出結果に基づいて、前記ズーム手段を制御する制御手段と、
を備えたことを特徴とする撮像装置。
【請求項５】
画像の記録指示に応じて撮像手段で撮像された画像を記録媒体に記録する撮像装置において、
半押しで撮影準備を指示し、全押しで画像の記録を指示する二段ストローク式のシャッタボタンと、
ズーム手段と、
前記ズーム手段によるテレ方向又はワイド方向へのズームを指示するズーム指示手段と、
人物撮影モードに設定するモード設定手段と、
顔の大きさの異なる複数の人物撮影用のテンプレートが記録されたテンプレート記録手段と、
前記人物撮影モード時に使用するテンプレートを選択する選択手段と、
前記人物撮影モード時に前記撮像手段に撮像される人物の顔の大きさを検出する検出手段と、
前記ズーム指示手段からの指示に応じて前記ズーム手段を制御するとともに、前記人物撮影モード時には、前記シャッタボタンの最初の半押しに応じて、前記撮像手段に撮像される人物の顔の大きさが、前記選択手段で選択されたテンプレートにおける人物の顔の大きさと同じ大きさになるように、前記検出手段の検出結果に基づいて、前記ズーム手段を制御する制御手段と、
を備えたことを特徴とする撮像装置。
【請求項６】
画像の記録指示に応じて撮像手段で撮像された画像を記録媒体に記録する撮像装置において、
半押しで撮影準備を指示し、全押しで画像の記録を指示する二段ストローク式のシャッタボタンと、
ズーム手段と、
前記ズーム手段によるテレ方向又はワイド方向へのズームを指示するズーム指示手段と、
人物撮影モードに設定するモード設定手段と、
前記人物撮影モード時に使用する人物撮影用のテンプレートが記録されたテンプレート記録手段と、
前記テンプレートにおける人物の顔の大きさを設定する設定手段と、
前記人物撮影モード時に前記撮像手段に撮像される人物の顔の大きさを検出する検出手段と、
前記ズーム指示手段からの指示に応じて前記ズーム手段を制御するとともに、前記人物撮影モード時には、前記シャッタボタンの最初の半押しに応じて、前記撮像手段に撮像される人物の顔の大きさが前記テンプレートにおける人物の顔の大きさと同じ大きさになるように、前記検出手段の検出結果に基づいて、前記ズーム手段を制御する制御手段と、
を備えたことを特徴とする撮像装置。
【請求項７】
画像の記録指示に応じて撮像手段で撮像された画像を記録媒体に記録する撮像装置において、
半押しで撮影準備を指示し、全押しで画像の記録を指示する二段ストローク式のシャッタボタンと、
ズーム手段と、
前記ズーム手段によるテレ方向又はワイド方向へのズームを指示するズーム指示手段と、
集合撮影モードに設定するモード設定手段と、
人の顔の分布が異なる複数の集合撮影用のテンプレートが記録されたテンプレート記録手段と、
前記集合撮影モード時に使用するテンプレートを選択する選択手段と、
前記集合撮影モード時に前記撮像手段に撮像される人物の顔の位置、大きさを検出する検出手段と、
前記ズーム指示手段からの指示に応じて前記ズーム手段を制御するとともに、前記集合撮影モード時には、前記シャッタボタンの最初の半押しに応じて、前記撮像手段に撮像される各人物の顔の分布が、前記選択手段で選択されたテンプレートにおける人物の顔の分布に近づくように、前記検出手段の検出結果に基づいて、前記ズーム手段を制御する制御手段と、
を備えたことを特徴とする撮像装置。
【請求項８】
画像の記録指示に応じて撮像手段で撮像された画像を記録媒体に記録する撮像装置において、
半押しで撮影準備を指示し、全押しで画像の記録を指示する二段ストローク式のシャッタボタンと、
ズーム手段と、
前記ズーム手段によるテレ方向又はワイド方向へのズームを指示するズーム指示手段と、
集合撮影モードに設定するモード設定手段と、
人数が異なる複数の集合撮影用のテンプレートが記録されたテンプレート記録手段と、
前記集合撮影モード時に使用するテンプレートを選択する選択手段と、
前記選択手段で選択されたテンプレートにおける各人物の顔の位置、大きさを設定する設定手段と、
前記集合撮影モード時に前記撮像手段に撮像される人物の顔の位置、大きさを検出する検出手段と、
前記ズーム指示手段からの指示に応じて前記ズーム手段を制御するとともに、前記集合撮影モード時には、前記シャッタボタンの最初の半押しに応じて、前記撮像手段に撮像される各人物の顔の分布が、前記選択手段で選択されたテンプレートにおける人物の顔の分布に近づくように、前記検出手段の検出結果に基づいて、前記ズーム手段を制御する制御手段と、
を備えたことを特徴とする撮像装置。
【手続補正２】
【補正対象書類名】明細書
【補正対象項目名】０００８
【補正方法】変更
【補正の内容】
【０００８】
請求項１に係る発明は、前記目的を達成するために、画像の記録指示に応じて撮像手段で撮像された画像を記録媒体に記録する撮像装置において、半押しで撮影準備を指示し、全押しで画像の記録を指示する二段ストローク式のシャッタボタンと、ズーム手段と、前記ズーム手段によるテレ方向又はワイド方向へのズームを指示するズーム指示手段と、人物撮影モードに設定するモード設定手段と、前記人物撮影モード時に前記撮像手段に撮像される人物の顔の大きさを検出する検出手段と、前記ズーム指示手段からの指示に応じて前記ズーム手段を制御するとともに、前記人物撮影モード時には、前記シャッタボタンの最初の半押しに応じて、前記撮像手段に撮像される人物の顔の大きさが一定の大きさとなるように、前記検出手段の検出結果に基づいて、前記ズーム手段を制御する制御手段と、を備えたことを特徴とする撮像装置を提供する。
【手続補正３】
【補正対象書類名】明細書
【補正対象項目名】００１０
【補正方法】変更
【補正の内容】
【００１０】
請求項２に係る発明は、前記目的を達成するために、前記撮像手段で撮像する人物の顔の大きさを設定する設定手段を備え、前記人物撮影モード時、前記制御手段は、前記シャッタボタンの最初の半押しに応じて、前記撮像手段に撮像される人物の顔の大きさが前記設定手段で設定された大きさとなるように、前記検出手段の検出結果に基づいて、前記ズーム手段を制御することを特徴とする請求項１に記載の撮像装置を提供する。
【手続補正４】
【補正対象書類名】明細書
【補正対象項目名】００１２
【補正方法】変更
【補正の内容】
【００１２】
請求項３に係る発明は、前記目的を達成するために、前記人物撮影モード時に前記撮像手段で撮像された人物の顔の大きさを検出する第２の検出手段と、前記第２の検出手段の検出結果に基づいて撮影頻度の高い人物の顔の大きさを推定する推定手段と、を備え、前記人物撮影モード時、前記制御手段は、前記シャッタボタンの最初の半押しに応じて、前記撮像手段に撮像される人物の顔の大きさが前記推定手段で推定された大きさとなるように、前記検出手段の検出結果に基づいて、前記ズーム手段を制御することを特徴とする請求項１に記載の撮像装置を提供する。
【手続補正５】
【補正対象書類名】明細書
【補正対象項目名】００１４
【補正方法】変更
【補正の内容】
【００１４】
請求項４に係る発明は、前記目的を達成するために、画像の記録指示に応じて撮像手段で撮像された画像を記録媒体に記録する撮像装置において、半押しで撮影準備を指示し、全押しで画像の記録を指示する二段ストローク式のシャッタボタンと、ズーム手段と、前記ズーム手段によるテレ方向又はワイド方向へのズームを指示するズーム指示手段と、集合撮影モードに設定するモード設定手段と、前記集合撮影モード時に前記撮像手段に撮像される各人物の顔の位置、大きさを検出する検出手段と、前記ズーム指示手段からの指示に応じて前記ズーム手段を制御するとともに、前記集合撮影モード時には、前記シャッタボタンの最初の半押しに応じて、前記撮像手段で撮像される各人物の顔が画面一杯になるように、前記検出手段の検出結果に基づいて、前記ズーム手段を制御する制御手段と、を備えたことを特徴とする撮像装置を提供する。
【手続補正６】
【補正対象書類名】明細書
【補正対象項目名】００１６
【補正方法】変更
【補正の内容】
【００１６】
請求項５に係る発明は、前記目的を達成するために、画像の記録指示に応じて撮像手段で撮像された画像を記録媒体に記録する撮像装置において、半押しで撮影準備を指示し、全押しで画像の記録を指示する二段ストローク式のシャッタボタンと、ズーム手段と、前記ズーム手段によるテレ方向又はワイド方向へのズームを指示するズーム指示手段と、人物撮影モードに設定するモード設定手段と、顔の大きさの異なる複数の人物撮影用のテンプレートが記録されたテンプレート記録手段と、前記人物撮影モード時に使用するテンプレートを選択する選択手段と、前記人物撮影モード時に前記撮像手段に撮像される人物の顔の大きさを検出する検出手段と、前記ズーム指示手段からの指示に応じて前記ズーム手段を制御するとともに、前記人物撮影モード時には、前記シャッタボタンの最初の半押しに応じて、前記撮像手段に撮像される人物の顔の大きさが、前記選択手段で選択されたテンプレートにおける人物の顔の大きさと同じ大きさになるように、前記検出手段の検出結果に基づいて、前記ズーム手段を制御する制御手段と、を備えたことを特徴とする撮像装置を提供する。
【手続補正７】
【補正対象書類名】明細書
【補正対象項目名】００１８
【補正方法】変更
【補正の内容】
【００１８】
請求項６に係る発明は、前記目的を達成するために、画像の記録指示に応じて撮像手段で撮像された画像を記録媒体に記録する撮像装置において、半押しで撮影準備を指示し、全押しで画像の記録を指示する二段ストローク式のシャッタボタンと、ズーム手段と、前記ズーム手段によるテレ方向又はワイド方向へのズームを指示するズーム指示手段と、人物撮影モードに設定するモード設定手段と、前記人物撮影モード時に使用する人物撮影用のテンプレートが記録されたテンプレート記録手段と、前記テンプレートにおける人物の顔の大きさを設定する設定手段と、前記人物撮影モード時に前記撮像手段に撮像される人物の顔の大きさを検出する検出手段と、前記ズーム指示手段からの指示に応じて前記ズーム手段を制御するとともに、前記人物撮影モード時には、前記シャッタボタンの最初の半押しに応じて、前記撮像手段に撮像される人物の顔の大きさが前記テンプレートにおける人物の顔の大きさと同じ大きさになるように、前記検出手段の検出結果に基づいて、前記ズーム手段を制御する制御手段と、を備えたことを特徴とする撮像装置を提供する。
【手続補正８】
【補正対象書類名】明細書
【補正対象項目名】００２０
【補正方法】変更
【補正の内容】
【００２０】
請求項７に係る発明は、前記目的を達成するために、画像の記録指示に応じて撮像手段で撮像された画像を記録媒体に記録する撮像装置において、半押しで撮影準備を指示し、全押しで画像の記録を指示する二段ストローク式のシャッタボタンと、ズーム手段と、前記ズーム手段によるテレ方向又はワイド方向へのズームを指示するズーム指示手段と、集合撮影モードに設定するモード設定手段と、人の顔の分布が異なる複数の集合撮影用のテンプレートが記録されたテンプレート記録手段と、前記集合撮影モード時に使用するテンプレートを選択する選択手段と、前記集合撮影モード時に前記撮像手段に撮像される人物の顔の位置、大きさを検出する検出手段と、前記ズーム指示手段からの指示に応じて前記ズーム手段を制御するとともに、前記集合撮影モード時には、前記シャッタボタンの最初の半押しに応じて、前記撮像手段に撮像される各人物の顔の分布が、前記選択手段で選択されたテンプレートにおける人物の顔の分布に近づくように、前記検出手段の検出結果に基づいて、前記ズーム手段を制御する制御手段と、を備えたことを特徴とする撮像装置を提供する。
【手続補正９】
【補正対象書類名】明細書
【補正対象項目名】００２２
【補正方法】変更
【補正の内容】
【００２２】
請求項８に係る発明は、前記目的を達成するために、画像の記録指示に応じて撮像手段で撮像された画像を記録媒体に記録する撮像装置において、半押しで撮影準備を指示し、全押しで画像の記録を指示する二段ストローク式のシャッタボタンと、ズーム手段と、前記ズーム手段によるテレ方向又はワイド方向へのズームを指示するズーム指示手段と、集合撮影モードに設定するモード設定手段と、人数が異なる複数の集合撮影用のテンプレートが記録されたテンプレート記録手段と、前記集合撮影モード時に使用するテンプレートを選択する選択手段と、前記選択手段で選択されたテンプレートにおける各人物の顔の位置、大きさを設定する設定手段と、前記集合撮影モード時に前記撮像手段に撮像される人物の顔の位置、大きさを検出する検出手段と、前記ズーム指示手段からの指示に応じて前記ズーム手段を制御するとともに、前記集合撮影モード時には、前記シャッタボタンの最初の半押しに応じて、前記撮像手段に撮像される各人物の顔の分布が、前記選択手段で選択されたテンプレートにおける人物の顔の分布に近づくように、前記検出手段の検出結果に基づいて、前記ズーム手段を制御する制御手段と、を備えたことを特徴とする撮像装置を提供する。
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】